(57)【要約】【課題】店舗等のシャッターを広告宣伝のための表示領域として企業等に貸し出すことを可能とし、またそのシャッターに対する広告宣伝も大がかりな設備工事を要することなく、さらにシャッター面への汚損にも対処することを可能とするシャッター用ディスプレイによる広告方法を提供する。【解決手段】表面に広告表示領域を有する開閉自在なシャッターを備える店舗１と、シャッターの広告表示領域に広告掲示を希望するクライアント２と、店舗ごとの広告表示領域をデータベース化して管理する広告仲介組織４と、シャッターの広告表示領域に広告表示機能を備えたシャッター用ディスプレイ装置を施工する施工組織６とを備え、広告仲介組織はインターネットに接続するＷｅｂサーバ５を介して店舗の広告表示領域の情報を公開し、クライアントはインターネットにてＷｅｂサーバにアクセスして希望する店舗の広告表示領域の情報を検索し申し込む。【選択図】      図１
2004325991.tif 000002
【特許請求の範囲】
【請求項１】
表面に広告表示領域を有する開閉自在なシャッターを備える店舗と、前記シャッターの広告表示領域に広告掲示を希望する企業等のクライアントと、前記店舗ごとの広告表示領域に関する情報をデータベース化して管理する広告仲介組織と、前記シャッターの広告表示領域に広告表示機能を備えたシャッター用ディスプレイ装置を施工する施工組織とを備え、前記広告仲介組織はネットワークに接続するＷｅｂサーバを介して前記店舗の広告表示領域の情報を公開し、前記クライアントはネットワークを介して前記Ｗｅｂサーバにアクセスして希望する店舗の広告表示領域の情報を検索し申し込むことによりシャッターを企業向けの広告宣伝の媒体物として活用することを特徴とするシャッター用ディスプレイによる広告方法。
【請求項２】
シャッターは巻取ロールにより上下動自在な巻き上げ式シャッターとし、シャッターの広告表示領域は、シャッターを下げた状態においてはシャッター表面上に位置し、シャッターを上げた際にはシャッターとともに前記巻取ロールに巻き取られるシャッター上部に上方部分を固定し宣伝広告用の表示体を形成してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とからなるディスプレイ装置とすることを特徴とする請求項１記載のシャッター用ディスプレイによる広告方法。
【請求項３】
シート体の表面には、落書き等を消去することのできるフィルム貼着やコーティング等の防汚加工を施してなることを特徴とする請求項２記載のシャッター用ディスプレイによる広告方法。
【発明の詳細な説明】
【０００１】
【発明の属する技術分野】
本発明は、多くの歩行者の目に付きやすくしかも目線の高さが歩行者と同じで広告スペースも充分に確保でき、広告宣伝効果を充分に発揮することが可能な閉店時、休業時等におけるシャッターに着目して案出されたものであり、店舗等に設置される開閉自在なシャッターが閉まっているときのスペースに広告を掲示することができる取り付け容易なシャッター用ディスプレイを利用し、シャッターを広告掲示領域として提供する店舗と、シャッターへの広告掲示を希望する企業等のクライアントとを的確に仲介することにより店舗にとっては営業に支障なく定期的な広告収入を得ることができ、クライアントにとってはより効果的な宣伝広告を行うことのできるシャッター用ディスプレイによる広告方法に関する。
【０００２】
【従来の技術】
従来、建物等に企業等の宣伝広告のための看板を設置することや、自店舗のシャッターに自らの店舗に関して宣伝広告表示することは行われていたが、店舗等のシャッターを自店舗以外に広告宣伝のための表示領域として希望する企業等に貸し出すビジネスは行われていなかった。
【０００３】
すなわち、企業等にとっては店舗におけるシャッターは、歩行者が多いことから人目に付きやすく、かつ歩行者とほぼ同一目線上に存在し充分な広告スペースも確保でき閉店時あるいは休業時の店舗シャッター面を利用して広告・宣伝を行うことができれば広告看板の設置、チラシ広告、屋上広告灯の設置等通常の広告・宣伝手法と異なりより効果的な宣伝・広告効果を発揮することができる。一方商店主等にあっては、店舗名、開店・閉店時間の表示等さしたる宣伝広告機能を発揮していない店舗シャッターを広告体として他企業に貸し出し広告収入を授受できればより効果的な店舗経営ができる。またシャッターが開けられる開店時にあってはこのような広告形態をとっても自店舗の営業に何等支障は生じない。
【０００４】
このように、他人が所有する店舗シャッターを利用して自社の広告宣伝効果をより一層発揮したい企業と、企業あるいは宣伝広告内容、広告料等の諸条件を検討し貸し出しを希望する可能性のある店舗所有者の双方が潜在的に存在するにもかかわらず、このようなビジネスモデルは存在しない。
【０００５】
また、建物のシャッターに広告・装飾を施すためには、シャッター表面にペンキ等で表示体を描くことが行われていたが、複数枚の細長いスラットを組み合わせて構成されるシャッターにペンキで表示体を描いても、スラット相互間の接合部分で表示体が分断されてしまい、広告・装飾としての美観は損なわれていた。そこで、従来のシャッター表面にシート体を位置させ、このシート体に広告・装飾を施すシャッター用ディスプレイ装置が案出された。このシャッター用ディスプレイ装置としては、シャッターの巻取装置の前面上部にディスプレイシートの巻取装置を配設するとともに、シャッターの下端に、表示体を形成してなる磁石シートからなるディスプレイシートの下端を固定し、シャッターの下降に対応させてディスプレイシートをシャッターに磁着させつつ繰り出す構造のものが存在する。この従来のシャッター用ディスプレイ装置は、既存のシャッターに設置することができ、シャッター表面に各種広告宣伝や装飾を施すことができるものである（例えば、特許文献１参照。）。
【０００６】
【特許文献１】
特開平１−１７８６９４号公報
【０００７】
【発明が解決しようとする課題】
従来、店舗等のシャッターを広告宣伝のための表示領域として企業等に貸し出すことは行われていなかったのは、店舗のシャッターに広告掲示を希望する企業等があっても、店舗ごとのシャッターの情報をデータベース管理する組織がないことから、企業は希望する地域等における広告掲示を希望するシャッターを容易に見つけることができないことがその一因となっている。また、前述した従来のシャッター用ディスプレイ装置にあっては、シャッターの巻取装置の近傍にディスプレイシート専用の巻取装置を設置する必要がある等大がかりな装置となることから、これを設置するためには多大の労苦と複雑な設置工事と多額の工事費用を余儀なくされていた。また、ディスプレイシートの交換も同様に容易ではなく、作業には手間と時間を要するものであった。さらに近年、シャッターに対してカラースプレイなどによる落書き等による汚損被害が多発しており、このシャッターの汚損は除去しづらいことからその解決策が求められていた。
【０００８】
そこで本発明は、店舗等のシャッターを広告宣伝のための表示領域として企業等に貸し出すことを可能とし店舗所有者、企業双方にとって極めて有益であり、またそのシャッターに対する広告宣伝も大がかりな設備工事を要することなく極めて効果的な宣伝広告機能を発揮することができ、さらにシャッター面への汚損にも対処することを可能とするシャッター用ディスプレイによる広告方法を提供することを目的とする。
【０００９】
【課題を解決するための手段】
前述の目的を達成するため、本発明のシャッター用ディスプレイによる広告方法は、表面に広告表示領域を有する開閉自在なシャッターを備える店舗と、前記シャッターの広告表示領域に広告掲示を希望する企業等のクライアントと、前記店舗ごとの広告表示領域に関する情報をデータベース化して管理する広告仲介組織と、前記シャッターの広告表示領域に広告表示機能を備えたシャッター用ディスプレイ装置を施工する施工組織とを備え、前記広告仲介組織はネットワークに接続するＷｅｂサーバを介して前記店舗の広告表示領域の情報を公開し、前記クライアントはネットワークを介して前記Ｗｅｂサーバにアクセスして希望する店舗の広告表示領域の情報を検索し申し込むことによりシャッターを企業向けの広告宣伝の媒体物として活用することを特徴とするものである。
【００１０】
また、シャッターは巻取ロールにより上下動自在な巻き上げ式シャッターとし、シャッターの広告表示領域は、シャッターを下げた状態においてはシャッター表面上に位置し、シャッターを上げた際にはシャッターとともに前記巻取ロールに巻き取られるシャッター上部に上方部分を固定し宣伝広告用の表示体を形成してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とからなるディスプレイ装置とすることを特徴とするものである。
【００１１】
また、シート体の表面には、落書き等を消去することのできるフィルム貼着やコーティング等の防汚加工を施してなることを特徴とするものである。
【００１２】
【発明の実施の形態】
図１は、本発明のシャッター用ディスプレイによる広告方法において、店舗とクライアントとを仲介するシステムを示しており、１は広告表示領域となるシャッターを有する店舗、２はシャッターの広告表示領域に広告掲示を希望するクライアント、３は広告仲介組織４が店舗ごとの広告表示領域をデータベース化して管理するデータベースサーバ、５は同じく広告仲介組織４が管理し、データベースサーバ３に記録された広告表示領域に関する情報をネットワーク上に公開するＷｅｂサーバ、６はシャッターの広告表示領域に広告表示機能を備えたシャッター用ディスプレイ装置を施工する施工組織、７はインターネット等のネットワークである。尚、このシステムには、個々の店舗１が単独で参加するだけでなく、個々の店舗１を取りまとめるかたちで、商店主等が加盟する商店街組合等の組織を活用して商店街ごと参加する形態としてもよいものである。
【００１３】
このような構成からなるシステムにおいて、自店のシャッターを広告表示領域として提供することを希望する店舗１（その所有者や使用者）は、広告仲介組織４に申し込みを行い、その広告表示領域等に関する所在地、シャッター寸法、シャッターが閉じる時間帯、賃料（無料も含む）、希望広告種、契約期間などの詳細データがデータベースサーバ３に記録される。そして広告仲介組織４は、データベースサーバ３に記録された複数の広告表示領域に関するデータをネットワーク７を介して公開し、クライアントはこれらの複数のデータの中から希望する条件に適合するものを選択し、申し込むことで仲介が設定されるものである。これにより広告仲介組織４は、広告掲示の契約を店舗側とクライアントを結んで締結し。その広告内容を施工組織６に伝達し、施工組織６は所定の広告表示領域に広告体を設置することとなる。
【００１４】
本実施例の広告体の一例としては、図２〜図５に示すシャッター用ディスプレイ装置８を用いるものである。シャッター用ディスプレイ装置８は、ターポリンシートやＰＶＣ（ポリ塩化ビニル）シート等の可撓性を有する合成樹脂シートの表面に文字・絵柄等の宣伝広告用の表示体９ａを形成したディスプレイシート９の表面に、落書き等の汚損対策として、カラースプレイ等で落書きされた場合でもシンナー、アルコール等の溶剤や洗剤で容易に拭き取ることができるように、図５に示すごとく、その表面に透明なポリエステルフィルムやＰＶＣフィルムをラミネートしたりフッ素樹脂等のコーティングをしたりする防汚加工１０が施されて構成されている。
【００１５】
そしてこのディスプレイシート９は、上下動自在で上部に設置されている巻取ロール１１に巻き取られて上面部に形成されたシャッターボックス１２（図２及び図３に示す）に収納することができるスチール製の巻取式のシャッター１３の上部（シャッターを下げた状態での）に、その上端を両面粘着剤や接着テープで固定され、シャッター１３を下げた状態においてはシャッター１３の表面全面に止着される。そして、シャッター１３を巻取ロール１１に巻き上げる際には、ディスプレイシート９はシャッター１３とともに巻取ロール１１に巻き取られてゆく。そしてシャッター１３を下げた状態においてはディスプレイシート９はシャッター１３表面上に撓むことなく張設され、シャッター１３を上げる際にもシャッター表面に位置しながらシャッター１３とともに整然と巻き取られるべく、ディスプレイシート９の下端をシャッター１３下端に固定されている牽引部材１４により下方に牽引付勢している。この牽引部材１４には、ロールカーテンやロールスクリーン等に用いられる巻き取り機構と同様に、ディスプレイシート９の下端に連設する牽引シート１５を常時牽引シート巻き取り方向に付勢するスプリングを備えた回転体１６を備えている。
【００１６】
尚、本発明のシャッター用ディスプレイ装置をこのような構成としたのは、巻き上げ式シャッターの構造を考慮したものである。すなわち、巻き上げ式シャッターは複数枚の細長いスラットを上下方向に連設して構成してなり、そのスラット相互の連結部分には「遊び」や「ガタ」と称するすきまを設けることで、シャッターを上下方向にある程度伸縮可能とし、これにより巻き取る際にスラット相互を連結する部分のすきまの外周部分は伸長し内周部分は縮小することで丸く巻回することを可能としている。このような構造のシャッターに対し、その表面にディスプレイシートを全面的に接着したり、ディスプレイシートの上端と下端を固定することでディスプレイシートとシャッターとを一体化させた場合には、スラット相互のすきまは固定されてしまって伸縮することができず、その結果シャッターを巻き取ることができなくなる。また、そのような事態とならないように、ディスプレイシートの上端だけをシャッターに固定して下端を固定しない場合には、シャッター表面上にディスプレイシートが張設されないことから、シャッターの上げ下げによりディスプレイシートが傾いたり、ねじれたり、しわが生じたりしてしまい、整然とした表示を行うことは不可能となる。
【００１７】
本発明のシャッター用ディスプレイ装置８を既存のシャッター１３に取り付ける方法について説明する。まず、図２及び図３に示すごとく、設置対象となるシャッター１３を下げて、露出する表面の上端ぎりぎりにディスプレイシート９の上端を両面粘着剤や粘着シート等を併用して確実に固定する。つぎに、シャッター１３の下端に牽引部材１４を固定する。そして、ディスプレイシート９の両側部を多少撓ませて、図３に示すごとく、シャッター１３の両側部をガイドするガイド部材１７内に配置し、これによりシートが風に煽られてたなびくことを防ぐ。設置工事としては、これで完了である。また、契約期間が終了した場合には、ディスプレイシートはシャッターから容易に取り外すことができ、さらに契約更新等でディスプレイシートを入れ替える場合にあっても、シャッターからディスプレイシートを外して新しいディスプレイシートを取り付けることも容易に行えるものである。
【００１８】
尚、本発明の他の実施例としては、特に図示しないが、上述したディスプレイシートに宣伝広告用の表示体を形成するのではなく、プロジェクター等の機器を適宜に設置して宣伝広告用の映像（動画も含む）を投影するものである。さらに、投影する画像内容にあわせて音楽・音声等を流してもよいものである。
【００１９】
【発明の効果】
以上詳述の如く、本発明のシャッター用ディスプレイによる広告方法によれば、店舗所有者等にあっては、自己の営業には何等支障なく閉店時あるいは休業時におけるシャッター面を広告体として貸し出し確実に利益を上げることができるとともに仲介組織を介して契約により始めて本発明のビジネスが成立することから、自店舗の信用を損なうような企業に貸し出したりあるいは著しく美観を損なう広告内容となるおそれはない。
一方企業にとっても自社の宣伝広告効果をより一層発揮できる店舗シャッターを仲介組織を介して迅速に探し出しスムースに契約することができるとともに、歩行者が多く人目に付きやすく、しかも目線の高さが歩行者とほぼ同一で広告スペースも充分に確保できるシャッター面を活用し、従来の広告看板、屋上広告灯、チラシ等の旧来の宣伝広告手法と異なりより効率の良い宣伝広告を行うことが可能となった。
【００２０】
また、巻取ロールにより上下動自在な巻き上げ式シャッターと、該シャッターを下げた状態においてはシャッター表面上に位置し、シャッターを上げた際にはシャッターとともに前記巻取ロールに巻き取られるシャッター上部に上方部分を固定してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とから構成することで、従来のごとく大がかりな設備工事を要することなく極めて簡単な工事で既存のシャッターに対して表示性に優れた宣伝広告効果を付加することができ、さらに広告表示するシート体の交換も容易に行うことができるものである。
【００２１】
また、シート体の表面に、落書き等を消去することのできるフィルム貼着やコーティング等の防汚加工を施すことで、落書き等による汚損被害に対処して容易に広告表示を復元して美観を維持することができるものである。
【図面の簡単な説明】
【図１】本発明のシャッター用ディスプレイによる広告方法を示すシステム図である。
【図２】本発明のシャッター用ディスプレイ装置の斜視図である。
【図３】本発明のシャッター用ディスプレイ装置の正面図である。
【図４】本発明のシャッター用ディスプレイ装置の側断面図である。
【図５】本発明のシャッター用ディスプレイ装置の平断面図である。
【図６】本発明のシャッター用ディスプレイ装置におけるディスプレイシートの分解説明図である。
【符号の説明】
１  店舗
２  クライアント
３  データベースサーバ
４  広告仲介組織
５  Ｗｅｂサーバ
６  施工組織
７  ネットワーク
８  シャッター用ディスプレイ装置
９  ディスプレイシート
９ａ  表示体
１０  防汚加工
１１  巻取ロール
１２  シャッターボックス
１３  シャッター
１４  牽引部材
１５  牽引シート
１６  回転体
１７  ガイド部材
【図１】
2004325991.tif 000003
【図２】
2004325991.tif 000004
【図３】
2004325991.tif 000005
【図４】
2004325991.tif 000006
【図５】
2004325991.tif 000007
【図６】
2004325991.tif 000008